(57)【要約】【課題】ヒータにおいて無駄に消費される電力を小さくすることができるようにする。【解決手段】原稿を読み取り、画データを発生させる読取部と、前記画データを記録するための記録部と、印刷部と、複数枚の原稿が読み取られた後に、各原稿の画データを記録部から読み出して印刷データとし、印刷部に送る印刷処理手段とを有する。前記印刷部は印刷データを受信して印刷を行う。印刷処理手段は、複数枚の原稿が読み取られた後に、各原稿の画データを記録部から読み出して印刷データとし、該印刷データを印刷部に送り、印刷部は印刷データを受信して印刷を行うので、ヒータがオンにされる稼働時間を短くすることができ、１枚ずつ印刷を行う場合よりヒータの消費電力を小さくすることができる。【選択図】図１
2008060923.tif 000002
【特許請求の範囲】
【請求項１】
（ａ）原稿を読み取り、画データを発生させる読取部と、
（ｂ）前記画データを記録するための記録部と、
（ｃ）印刷部と、
（ｄ）複数枚の原稿が読み取られた後に、各原稿の画データを記録部から読み出して印刷データとし、印刷部に送る印刷処理手段とを有するとともに、
（ｅ）前記印刷部は印刷データを受信して印刷を行うことを特徴とする画像処理装置。
【請求項２】
（ａ）印刷を待機させるための待機指示要素と、
（ｂ）該待機指示要素によって印刷待ち状態が指示されたときに、印刷処理手段を印刷待ち状態に置く待機処理手段とを有する請求項１に記載の画像処理装置。
【請求項３】
前記印刷処理手段は、印刷開始指示要素によって印刷の開始が指示されたときに印刷を行う請求項１に記載の画像処理装置。
【請求項４】
前記印刷処理手段は、すべての原稿の読取りが終了したときに自動的に印刷を行う請求項１に記載の画像処理装置。
【請求項５】
前記読取部はフラットベットスキャナである請求項１に記載の画像処理装置。
【発明の詳細な説明】
【技術分野】
【０００１】
本発明は、原稿を読み取る読取部を備えた画像処理装置に関するものである。
【背景技術】
【０００２】
従来、プリンタ、複写機、ファクシミリ装置、複合機等の画像処理装置、例えば、複写装置においては、スキャナ及びプリンタが配設され、スキャナによってフラットベット上の原稿の画像が読み取られ、該画像について印刷が行われるようになっている（例えば、特許文献１参照。）。
【特許文献１】特開２００１−８３７５４号公報
【発明の開示】
【発明が解決しようとする課題】
【０００３】
しかしながら、前記従来の複写装置においては、スキャナによる読取作業に時間がかかるので、プリンタにおいてヒータがオンにされる稼働時間が長くなり、ヒータにおいて無駄に消費される電力が大きくなってしまう。
【０００４】
図２は従来の複写装置の動作を示すタイムチャートである。
【０００５】
まず、フラットベットスキャナに１枚目の原稿がセットされ、画像が読み取られ、１枚目の印刷が行われ、フラットベットスキャナに２枚目の原稿がセットされ、画像が読み取られ、２枚目の印刷が行われ、フラットベットスキャナに３枚目の原稿がセットされ、画像が読み取られ、３枚目の印刷が行われる。このとき、波形Ａで示されるように、ヒータにおいて、オンと待機とが繰り返されるが、ヒータの待機中に熱が放出されるので、２枚目以降にヒータがオンにされる時間がその分長くなる。したがって、ヒータの稼働時間が長くなり、ヒータにおいて無駄に消費される電力が大きくなってしまう。
【０００６】
また、波形Ｂで示されるように、原稿の読取り及び印刷が行われている間、連続してヒータをオンにすることができる。この場合、ヒータの稼働時間が長くなり、ヒータにおいて無駄に消費される電力が大きくなってしまう。
【０００７】
本発明は、前記従来の複写装置の問題点を解決して、ヒータにおいて無駄に消費される電力を小さくすることができる画像処理装置を提供することを目的とする。
【課題を解決するための手段】
【０００８】
そのために、本発明の画像処理装置においては、原稿を読み取り、画データを発生させる読取部と、前記画データを記録するための記録部と、印刷部と、複数枚の原稿が読み取られた後に、各原稿の画データを記録部から読み出して印刷データとし、印刷部に送る印刷処理手段とを有する。
【０００９】
そして、前記印刷部は印刷データを受信して印刷を行う。
【発明の効果】
【００１０】
本発明によれば、画像処理装置においては、原稿を読み取り、画データを発生させる読取部と、前記画データを記録するための記録部と、印刷部と、複数枚の原稿が読み取られた後に、各原稿の画データを記録部から読み出して印刷データとし、印刷部に送る印刷処理手段とを有する。
【００１１】
そして、前記印刷部は印刷データを受信して印刷を行う。
【００１２】
この場合、印刷処理手段は、複数枚の原稿が読み取られた後に、各原稿の画データを記録部から読み出して印刷データとし、該印刷データを印刷部に送り、印刷部は印刷データを受信して印刷を行うので、ヒータがオンにされる稼働時間を短くすることができ、１枚ずつ印刷を行う場合よりヒータの消費電力を小さくすることができる。
【発明を実施するための最良の形態】
【００１３】
以下、本発明の実施の形態について図面を参照しながら詳細に説明する。この場合、画像処理装置としての複写装置について説明する。
【００１４】
図１は本発明の第１の実施の形態における複写装置のブロック図、図３は本発明の第１の実施の形態における複写装置の斜視図である。
【００１５】
図に示されるように、複写装置は、スキャナ１０及びプリンタ２０によって構成される。前記スキャナ１０は、セットされた原稿を読み取り、読取データを生成し、該読取データを変換して画データとしてのビットイメージデータを発生させる読取部としてのフラットベットスキャナ１１、前記ビットイメージデータを記録するための記録部としてのメモリ１２、及び前記スキャナ１０を操作するための操作部１３を備える。そして、前記フラットベットスキャナ１１はメモリ１２に接続され、操作部１３はフラットベットスキャナ１１に接続される。なお、前記フラットベットスキャナ１１は、画像読取装置を構成し、ガラス原稿台を備え、該ガラス原稿台に原稿をセットすると、ＣＣＤ等の図示されない読取装置が移動し、原稿の画像を読み取る。
【００１６】
また、プリンタ２０は、前記操作部１３からの指示を受けるとともに印刷の開始を指示する印刷指示部２１、該印刷指示部２１の指示に基づいてメモリ１２からビットイメージデータを読み出し、画像処理を施し、印刷データとしてプリンタエンジン２３に送る印刷処理手段としての印刷画像処理部２２、及び前記印刷データを受け、前記ビットイメージデータの内容について印刷を行う印刷部としてのプリンタエンジン２３を備える。そして、前記印刷画像処理部２２は、スキャナ１０のメモリ１２及びプリンタエンジン２３に接続される。
【００１７】
本実施の形態において、該プリンタエンジン２３は、電子写真式のプリンタから成る。そして、前記プリンタエンジン２３において、像担持体としての図示されない感光体ドラムの表面を、帯電装置としての図示されない帯電ローラによって帯電させ、露光装置としての図示されないＬＥＤヘッドによって露光して印刷データに応じた静電潜像を形成し、該静電潜像に現像器としての現像ローラ上で薄層化された現像剤としてのトナーが静電的に付着させられて現像剤像としてのトナー像が形成され、該トナー像を転写装置としての転写ローラによって媒体としての用紙に転写し、画像の形成、すなわち、印刷が行われるようになっている。また、転写後に前記感光体ドラム上に残留したトナーは、クリーニング装置としてのクリーニングブレ−ドによって除去される。
【００１８】
そして、トナー像が転写された用紙は、定着装置としての定着器に送られ、該定着器においてトナー像が用紙に定着させられる。そのために、定着器は、加熱ローラ及び加圧ローラを備え、前記加熱ローラに加熱体としてのヒータが配設される。
【００１９】
次に、前記操作部１３について説明する。
【００２０】
図４は本発明の第１の実施の形態における操作部を示す図である。
【００２１】
図に示されるように、操作部１３は、前記フラットベットスキャナ１１による原稿の読取りが終了したときに、次の原稿をセットするかどうかを操作者に知らせたり、複写装置の設定情報、状態情報等の情報を表示したりする表示部としてのパネル３１、プリンタ２０による印刷を待機させるモードを指定するための待機指示要素としての印刷待ちボタン３２、印刷の開始を指示する印刷開始指示要素としての印刷開始ボタン３３、及び前記フラットベットスキャナ１１にセットされた原稿の読取りを開始するための読取開始操作要素としてのコピーボタン３４等を備える。
【００２２】
前記印刷待ちボタン３２が押下されると、プリンタ２０による印刷を待機させるモードが指定され、前記フラットベットスキャナ１１による原稿の読取りが行われたときには、読取り後に変換されたビットイメージデータについての印刷は行われることはなく、ビットイメージデータはメモリ１２に記録される。複数枚の原稿の読取りが行われ、各原稿のビットイメージデータがそろったときには、印刷開始ボタン３３が押下されると、印刷が開始される。
【００２３】
次に、前記構成の複写装置の動作について説明する。
【００２４】
図５は本発明の第１の実施の形態における複写装置の動作を示すフローチャートである。
【００２５】
まず、操作者は、フラットベットスキャナ１１に原稿をセットする。そして、ビットイメージデータをメモリ１２に記録するかどうかを選択し、ビットイメージデータをメモリ１２に記録せず、直ちに印刷を開始する場合、印刷開始ボタン３３を押下する。該印刷開始ボタン３３が押下されると、スキャナ１０の図示されない読取制御部の通常処理手段は、通常処理を行い、通常のコピー動作を行う。前記読取制御部は、ＣＰＵ、ＭＰＵ等の演算装置から成る。
【００２６】
すなわち、前記通常処理手段の指示に従って、フラットベットスキャナ１１は、セットされた原稿を読み取り、読取データを変換してビットイメージデータを発生させ、メモリ１２に記録する。また、プリンタ２０は、メモリ１２からビットイメージデータを読み出し、印刷データとしてプリンタエンジン２３に送る。該プリンタエンジン２３は印刷データを受信して、原稿の画像を印刷する。
【００２７】
そして、複数枚の原稿について処理が行われる場合は、原稿の画像が１枚ずつ読み取られ、その都度印刷が行われる。
【００２８】
また、ビットイメージデータをメモリ１２に記録し、印刷を待機させる場合、操作者は印刷待ちボタン３２を押下する。このとき、前記操作部１３は、印刷指示部２１に印刷待ち状態を指示し、プリンタ２０の図示されない印刷制御部の待機処理手段は、待機処理を行い、印刷画像処理部２２及びプリンタエンジン２３を印刷待ち状態に置く。前記印刷制御部は、ＣＰＵ、ＭＰＵ等の演算装置から成る。
【００２９】
そして、操作者が、操作部１３のコピーボタン３４を押下すると、前記読取制御部の読取処理手段は、読取処理を行う。前記読取処理手段の指示に従って、フラットベットスキャナ１１は、セットされた原稿を読み取り、読取データをビットイメージデータに変換し、メモリ１２に記録する。
【００３０】
続いて、１回の読取りが終了すると、前記読取制御部の表示処理手段は、表示処理を行い、パネル３１に次の原稿をセットするように操作者に指示するメッセージを表示する。次の原稿がある場合、操作者は、既に読み取られた原稿をフラットベットスキャナ１１から取り除き、次の原稿をフラットベットスキャナ１１にセットし、次の読取りを開始するために、コピーボタン３４を押下する。
【００３１】
なお、印刷待ちボタン３２が押下されてから印刷開始ボタン３３が押下されるまで繰り返された同一処理による各ビットイメージデータは、互いに関連づけられてメモリ１２に記録される。
【００３２】
最終の原稿が読み取られた後、操作者が操作部１３の印刷開始ボタン３３を押下すると、前記操作部１３は印刷指示部２１に印刷の開始を指示する。
【００３３】
印刷の開始が指示されると、前記印刷画像処理部２２は、印刷処理を行い、メモリ１２から関連するビットイメージデータを読み出して印刷データとし、プリンタエンジン２３に印刷データを送る。
【００３４】
続いて、前記印刷画像処理部２２は、前記プリンタエンジン２３に指示を送り、該プリンタエンジン２３は、印刷データを処理し、印刷を開始する。このとき、印刷画像処理部２２は、印刷データがモノクロであるかカラーであるかを判断し、媒体としての用紙の厚さを判断し、プリンタエンジン２３の図示されないヒータをオンにするとともに、ヒータの温度を設定し、印刷を開始する。
【００３５】
次に、フローチャートについて説明する。
ステップＳ１  操作者はフラットベットスキャナ１１に原稿をセットする。
ステップＳ２  複写装置は印刷開始ボタン３３が押下されたかどうかを判断する。印刷開始ボタン３３が押下された場合はステップＳ３に、印刷開始ボタン３３が押下されていない場合はステップＳ４に進む。
ステップＳ３  通常処理を行い、処理を終了する。
ステップＳ４  印刷待ちボタン３２の押下によって印刷待ち状態に置く。
ステップＳ５  コピーボタン３４の押下によってフラットベットスキャナ１１による読取りを行う。
ステップＳ６  次の原稿をセットするように指示する。例えば、「次の原稿をセットし、コピーボタンを押下して下さい。終了の場合、印刷開始ボタンを押下して下さい」と表示する。
ステップＳ７  操作者は最終の原稿の読取りが行われたかどうかを判断する。最終の原稿の読取りが行われた場合はステップＳ９に、行われていない場合はステップＳ８に進む。
ステップＳ８  次の原稿をフラットベットスキャナ１１にセットし、ステップＳ５に戻る。
ステップＳ９  印刷開始ボタン３３を押下する。
ステップＳ１０  印刷を開始し、処理を終了する。
【００３６】
図６は本発明の第１の実施の形態における複写装置の動作を示すタイムチャートである。
【００３７】
この場合、例えば、３枚の原稿をコピーする場合、１枚目の原稿がセットされて印刷待ちボタン３２が押下され、コピーボタン３４が押下されると、原稿が読み取られ、２枚目の原稿がセットされ、コピーボタン３４が押下されると、原稿が読み取られ、最終の原稿がセットされ、コピーボタン３４が押下されると、原稿が読み取られる。そして、印刷開始ボタン３３が押下されると、読み取られた原稿についてまとめて印刷が行われるので、ヒータがオンにされる稼働時間を短くすることができる。
【００３８】
このように、本実施の形態においては、読取開始前に印刷待ちボタン３２を押下すると、すべての原稿について読取りが行われ、読取りが終了してから印刷開始ボタン３３を押下すると、印刷が開始されるので、ヒータがオンにされる稼働時間を短くすることができ、１枚ずつ印刷を行う場合よりヒータの消費電力を小さくすることができる。したがって、自動的に連続して読み取る装置（ＡＤＦ）を通すことができない本等を原稿として読み取る場合に、連続して読取りだけを行うことができるので、操作を簡素化することができる。
【００３９】
なお、本実施の形態においては、待機指示要素として印刷待ちボタン３２を配設するようになっているが、メニューに待機指示要素として印刷待ちオン／オフの項目を設け、操作者が操作部１３を操作して印刷待ちオン／オフの項目を選択するようにしてもよい。なお、その場合、印刷待ちボタン３３は不要となる。
【００４０】
また、本実施の形態においては、最終の原稿を読み取った後、印刷開始ボタン３３を押下するようになっているが、最終の原稿をセットした後、印刷開始ボタン３３を押下して原稿をスキャンし、印刷を開始することによって、印刷のスループットを高くすることができる。
【００４１】
次に、本発明の第２の実施の形態について説明する。なお、第１の実施の形態と同じ構造を有するものについては、同じ符号を付与し、同じ構造を有することによる発明の効果については同実施の形態の効果を援用する。
【００４２】
図７は本発明の第２の実施の形態における複写装置のブロック図である。
【００４３】
この場合、スキャナ１０に情報入力部１４が配設され、該情報入力部１４は、操作部１３の後述されるテンキーを操作することによって入力された原稿の枚数である読取枚数の情報を管理し、読取枚数が０（零) になると印刷指示部２１に印刷開始を指示する。前記情報入力部１４は、フラットベットスキャナ１１に接続され、読取枚数の情報を有し、フラットベットスキャナ１１が１枚の読取りを開始するごとに読取枚数をデクリメント（−１）する。
【００４４】
図８は本発明の第２の実施の形態における操作部を示す図である。
【００４５】
この場合、操作部１３に、前記第１の実施の形態における印刷待ちボタン３２及び印刷開始ボタン３３は配設されず、コピーを開始する前にフラットベットスキャナ１１によって画像を読み取ったときに発生させられたビットイメージデータをメモリ１２に記録する機能を表示させるための機能表示要素としてのメニューボタン３５、前記機能の選択を確定する機能選択要素としての選択ボタン３６、及び読取枚数を入力するための読取枚数指定要素としてのテンキー３７が配設される。
【００４６】
次に、前記構成の複写装置の動作について説明する。
【００４７】
図９は本発明の第２の実施の形態における複写装置の動作を示すフローチャート、図１０は本発明の第２の実施の形態におけるメニューの表示例を示す図である。
【００４８】
まず、操作者は、フラットベットスキャナ１１に原稿をセットする。そして、操作者はビットイメージデータをメモリ１２に記録するかどうかを決定し、ビットイメージデータをメモリ１２に記録せず、直ちに印刷を開始する場合、前記読取制御部の通常処理手段は、通常処理を行い、自動的に通常のコピー動作を行う。
【００４９】
すなわち、前記通常処理手段の指示に従って、フラットベットスキャナ１１は、コピーボタン３４の指示に従ってセットされた原稿を読み取り、読取データを変換してビットイメージデータを発生させ、メモリ１２に記録する。また、プリンタ２０は、メモリ１２からビットイメージデータを読み出し、印刷データとしてプリンタエンジン２３に送る。該プリンタエンジン２３は印刷データを受信して、原稿の画像を印刷する。
【００５０】
そして、複数枚の原稿について処理が行われる場合は、原稿の画像が１枚ずつ読み取られ、その都度印刷が行われる。
【００５１】
また、ビットイメージデータをメモリ１２に記録し、印刷を待機させる場合、操作者が操作部１３のメニューボタン３５を押下すると、前記読取制御部の表示処理手段は、表示処理を行い、メニューを表示し、メニューの機能を選択するように操作者に指示する。続いて、操作者が、操作部１３を操作して、選択ボタン３６を押下して図示されない読取データ記憶機能を選択すると、前記表示処理手段は、パネル３１に読取枚数を入力するように、「Ｒｅａｄ枚数を入力して下さい」等のメッセージを表示する。
【００５２】
そして、操作者が、テンキー３７を操作して読取枚数を入力し、例えば、“１”、“０”を押下して“１０”枚を指定すると、前記操作部１３が印刷指示部２１に印刷待ち状態を指示し、前記印刷制御部の待機処理手段は、待機処理を行い、プリンタ２０を印刷待ち状態に置く。これに伴って、操作部１３は、情報入力部１４に読取枚数の情報を送る。
【００５３】
続いて、操作者が、操作部１３のコピーボタン３４を押下すると、前記読取制御部の読取処理手段は、読取処理を行う。そして、前記読取処理手段の指示に従って、フラットベットスキャナ１１は、セットされた原稿を読み取り、読取データを変換してビットイメージデータを発生させ、メモリ１２に記録する。
【００５４】
それに伴って、前記読取処理手段の指示に従って、フラットベットスキャナ１１から読取りが開始されたことが情報入力部１４に伝えられる。そして、前記読取処理手段は、情報入力部１４に記録されていた読取枚数をデクリメントする。なお、本実施の形態においては、コピーボタン３４が押下され、読取りが開始されると、読取枚数がデクリメントされるようになっているが、コピーボタン３４が押下され、読取りが終了すると、読取枚数がデクリメントされるようにすることができる。
【００５５】
そして、情報入力部１４の読取枚数が０でない場合、表示処理手段は、操作部１３のパネル３１に次の原稿をセットするように指示するメッセージ、例えば、「次の原稿をセットしてください」等を表示し、操作者は既に読み取られた原稿をフラットベットスキャナ１１から取り除き、次の原稿をフラットベットスキャナ１１にセットし、次のコピーを開始する。
【００５６】
最終の原稿が読み取られた後、情報入力部１４に記録された読取枚数は０になるので、情報入力部１４は印刷指示部２１にその旨を伝える。
【００５７】
続いて、該印刷指示部２１は、印刷画像処理部２２に印刷開始の指示を送り、該印刷画像処理部２２は、印刷処理を行い、印刷開始が指示されると、メモリ１２内のビットイメージデータを読み出して、印刷データとし、プリンタエンジン２３に印刷データを送る。
【００５８】
そして、前記印刷画像処理部２２は、前記プリンタエンジン２３に指示を送り、該プリンタエンジン２３は、印刷データを処理し、印刷を開始する。このとき、印刷画像処理部２２は、印刷データがモノクロであるかカラーであるかを判断し、媒体としての用紙の厚さを判断し、プリンタエンジン２３の図示されないヒータをオンにするとともに、ヒータの温度を設定し、印刷を開始する。
【００５９】
次に、フローチャートについて説明する。
ステップＳ１１  操作者はフラットベットスキャナ１１に原稿をセットする。
ステップＳ１２  操作者はビットイメージデータを記録するかどうかを判断する。ビットイメージデータを記録する場合はステップＳ１４に、記録しない場合はステップＳ１３に進む。
ステップＳ１３  操作者によるコピーボタン３４の押下により通常処理を行い、処理を終了する。
ステップＳ１４  メニューボタン３５の押下によってメニューを表示する。
ステップＳ１５  機能を選択するように指示する。図１０に示されるようなメニューにおいて、「＊を移動後、選択ボタンを押下して下さい」のような指示がされる。
ステップＳ１６  選択ボタン３６の押下によって機能を確定する。
ステップＳ１７  読取枚数を入力するように指示する。
ステップＳ１８  テンキー３７によって読取枚数を入力する。
ステップＳ１９  コピーボタン３４の押下によってフラットベットスキャナ１１による読取りを開始する。
ステップＳ２０  情報入力部１４の読取枚数が０であるかどうかを判断する。情報入力部１４の読取枚数が０である場合はステップＳ２３に、読取枚数が０でない場合はステップＳ２１に進む。
ステップＳ２１  次の原稿をセットするように指示する。
ステップＳ２２  次の原稿をフラットベットスキャナ１１にセットし、ステップＳ１９に戻る。
ステップＳ２３  印刷を開始し、処理を終了する。
【００６０】
図１１は本発明の第２の実施の形態における複写装置の動作を示すタイムチャートである。
【００６１】
例えば、３枚の原稿をコピーする場合、１枚目の原稿がセットされてメニューボタン３５が押下されると、メモリ１２に記録される機能がパネル３１に表示され、続いて、選択ボタン３６が押下されて、機能が選択され、テンキー３７によって読取枚数が入力されると、情報入力部１４に読取枚数が“３”として記録される。
【００６２】
そして、１枚目の原稿が読み取られ、これに伴って、情報入力部１４の読取枚数がデクリメントされて“２”となり、続いて、２枚目の原稿がセットされ、読み取られ、これに伴って、情報入力部１４の読取枚数がデクリメントされて“１”となる。最後に、最終の原稿がセットされ、読み取られ、情報入力部１４の読取枚数がデクリメントされて“０”になると、続いて、読み取られた原稿についてまとめて印刷が行われる。したがって、ヒータがオンにされる稼働時間を短くすることができる。
【００６３】
このように、本実施の形態においては、読取開始前にメニューボタン３５を押下すると、メモリ１２に記録される機能がパネル３１に表示され、選択ボタン３６を押下すると、メモリ１２に記録される機能が確定され、読取枚数を入力するように指示するメッセージがパネル３１に表示される。続いて、テンキー３７によって読取枚数が入力されると、読取りが開始される。そして、最終の原稿について読取りが行われて、読取りが終了すると、印刷が開始されるので、ヒータがオンにされる稼働時間を短くすることができ、１枚ずつ印刷を行う場合よりヒータの消費電力を小さくすることができる。
【００６４】
また、前記第１の実施の形態においては、最終の原稿が読み取られた後に印刷開始ボタン３３を押下すると、ヒータがオンにされるのに対して、本実施の形態においては、最終の原稿が読み取られると、自動的にヒータがオンにされるので、操作者の操作遅れによる印刷の遅れ、ボタンの押し忘れ等を防止することができる。なお、最終原稿の読取りを開始したときに印刷準備を開始することもできる。
【００６５】
前記各実施の形態においては、複写装置に適用した例について説明したが、本発明を、ＭＦＰ、ファクシミリ、フラットベットスキャナ及びプリンタをネットワークを介して接続した複合システムにも適用することができる。
【００６６】
なお、本発明は前記各実施の形態に限定されるものではなく、本発明の趣旨に基づいて種々変形させることが可能であり、それらを本発明の範囲から排除するものではない。
【図面の簡単な説明】
【００６７】
【図１】本発明の第１の実施の形態における複写装置のブロック図である。
【図２】従来の複写装置の動作を示すタイムチャートである。
【図３】本発明の第１の実施の形態における複写装置の斜視図である。
【図４】本発明の第１の実施の形態における操作部を示す図である。
【図５】本発明の第１の実施の形態における複写装置の動作を示すフローチャートである。
【図６】本発明の第１の実施の形態における複写装置の動作を示すタイムチャートである。
【図７】本発明の第２の実施の形態における複写装置のブロック図である。
【図８】本発明の第２の実施の形態における操作部を示す図である。
【図９】本発明の第２の実施の形態における複写装置の動作を示すフローチャートである。
【図１０】本発明の第２の実施の形態におけるメニューの表示例を示す図である。
【図１１】本発明の第２の実施の形態における複写装置の動作を示すタイムチャートである。
【符号の説明】
【００６８】
１０    スキャナ
１１    フラットベットスキャナ
１２    メモリ
２０    プリンタ
２２    印刷画像処理部
２３    プリンタエンジン
【図１】
2008060923.tif 000003
【図２】
2008060923.tif 000004
【図３】
2008060923.tif 000005
【図４】
2008060923.tif 000006
【図５】
2008060923.tif 000007
【図６】
2008060923.tif 000008
【図７】
2008060923.tif 000009
【図８】
2008060923.tif 000010
【図９】
2008060923.tif 000011
【図１０】
2008060923.tif 000012
【図１１】
2008060923.tif 000013